(57)【要約】  ここに記載されているのは、電動モータであって、この電動モータは、このモータの支持体（６）に配置される複数のＳＭＤコンポーネント（５）、及び、これらＳＭＤコンポーネント（５）用の、モータの導電性のケーシング部（８）との接続部品を備えている。接続部品としてコンタクトばね（１０）が使用され、このコンタクトばね（１０）により、複数のＳＭＤコンポーネント（５）とケーシング部（８）とが電気的に接続される。このコンタクトばね（１０）は、主区画（１）と、この主区画（１）の一方の側から延在する弾性の接続区画と、主区画（１）の他方の側から延在する弾性の少なくとも１つのコンタクト区画とを有しており、コンタクトばね（１０）の弾性の接続区画には、ＳＭＤコンポーネント（５）用の複数のコンタクトフィンガ（２）が含まれている。したがってこの接続は、ただ１つの簡単に製造可能なコンポーネントによって形成することが可能である。
2017527253.tif 000002
【特許請求の範囲】
【請求項１】
電動モータであって、
当該電動モータの支持体（６）の凹部又はチャンバに収容される複数のＳＭＤコンポーネント（５）、及び、当該ＳＭＤコンポーネント（５）用の、前記電動モータの導電性のケーシング部との接続部品を備えており、
前記接続部品は、前記支持体（６）上に緊締されるコンタクトばね（１０）として構成されており、
当該コンタクトばね（１０）は、
複数の前記ＳＭＤコンポーネント（５）を前記ケーシング部に電気的に接続するために、
主区画（１）と、
当該主区画（１）の一方の側から延在する弾性の、前記ＳＭＤコンポーネント（５）用の接続区画と、
前記ケーシング部との電気的な接続のために、前記主区画（１）の他方の側から延在する弾性の少なくとも１つのコンタクト区画（３）とを有している、
電動モータにおいて、
前記コンタクトばね（１０）の前記弾性の接続区画は、前記複数のＳＭＤコンポーネント（５）用の複数のコンタクトフィンガ（２）を有しており、
当該複数のコンタクトフィンガ（２）は、前記支持体（６）の個々の前記凹部又は前記チャンバにはまり込んで、そこにおいて、前記凹部又は前記チャンバに配置されている前記複数のＳＭＤコンポーネント（５）と接触接続している、ことを特徴とする電動モータ。
【請求項２】
前記ケーシング部は、前記電動モータのケーシング外壁部（８）である、
請求項１に記載の電動モータ。
【請求項３】
前記支持体（６）は、前記電動モータのブラシホルダである、
請求項１又は２に記載の電動モータ。
【請求項４】
前記コンタクトばね（１０）は、前記電動モータの前記支持体（６）に緊締されている、
請求項２又は３に記載の電動モータ。
【請求項５】
前記支持体（６）は、絶縁性のプラスチックから構成されている、
請求項１から４までのいずれか１項に記載の電動モータ。
【請求項６】
前記ＳＭＤコンポーネント（５）は、前記コンタクトフィンガ（２）に導電的に固定されており、特に緊締及び／又ははんだ付けないしは導電性接着によって固定されている、
請求項１から５までのいずれか１項に記載の電動モータ。
【請求項７】
前記ＳＭＤコンポーネント（５）は、絶縁材料に埋め込まれているか又は前記ＳＭＤコンポーネント（５）には、前記絶縁材料がコーティングされている、
請求項１から６までのいずれか１項に記載の電動モータ。
【請求項８】
前記絶縁材料は、フレキシブルかつ可撓性である、
請求項７に記載の電動モータ。
【請求項９】
前記コンタクトばね（１０）の前記主区画（１）は、前記コンタクトフィンガ（２）の側に、前記ＳＭＤコンポーネント（５）用に、及び／又は、少なくとも１つの前記コンタクト区画（３）の側に、前記ケーシング部用に、少なくとも１つの固定くさび（７）を有する、
請求項１から８までのいずれか１項に記載の電動モータ。
【請求項１０】
隣接する複数の前記ＳＭＤコンポーネント（５）間に、短絡を回避するための絶縁性の保護壁部が配置されている、
請求項１から９までのいずれか１項に記載の電動モータ。
【請求項１１】
電動モータの支持体（６）に配置される複数のＳＭＤコンポーネント（５）と、前記電動モータの導電性のケーシング部とを接続するための接続部品であって、
当該接続部品は、コンタクトばね（１０）として構成されており、
当該コンタクトばね（１０）は、
主区画（１）と、
当該主区画（１）の一方の側から延在する弾性の接続区画と、
前記主区画（１）の他方の側から延在する弾性の少なくとも１つのコンタクト区画（３）とを有している、接続部品において、
前記コンタクトばね（１０）の弾性の接続区画は、前記ＳＭＤコンポーネント（５）のための複数のコンタクトフィンガ（２）を有している、ことを特徴とする接続部品。
【請求項１２】
前記コンタクトばね（１０）は、Ｕ字形の主区画（１）を有しており、当該主区画（１）の一方の脚片から前記コンタクトフィンガ（２）が、当該主区画（１）の他方の脚片から少なくとも１つのコンタクト区画（３）が出ている、
請求項１１に記載の接続部品。
【請求項１３】
前記コンタクトばね（１０）の前記主区画（１）は、その２つの脚片に少なくとも１つの固定くさび（７）を有する、
請求項１１又は１２に記載の接続部品。
【発明の詳細な説明】
【技術分野】
【０００１】
本発明は、請求項１の上位概念に記載された特徴的構成を備えた電動モータに関する。ＳＭＤコンポーネント（ＳＭＤ：Surface Mounted Device）は、その構成形態が小型であること及び取り付けが容易であることにより、配線式の電子コンポーネントに比べて優れている。ＳＭＤコンポーネントは標準的には、プリント基板又はセラミック基板に載置されて、導体路又はプリント基板とはんだ付けされる。この場合にこれらの導体路それ自体は、特に別の接続ケーブル又は配線を介して別の電気端子に接続しなければならない。本発明は、このようなＳＭＤコンポーネントを電動モータの支持体に取り付けることに関する。
【０００２】
独国特許出願公開第１０２０１２００６４９９号明細書（DE 10 2012 006 499 A1）からは、請求項１の上位概念に記載された特徴的構成を備えた電動モータが公知である。この公知の電動モータでは、設けられた接続部品は、プリント基板を電動モータのケーシング部に接続するために使用され、ここでこの接続部品は、ただ１つのクランプ脚片によってプリント基板に係合している。
【０００３】
米国特許第６７６８２４３号明細書（US 6 768 243 B1）からは、コンデンサを電動モータのケーシング壁部に接続する接続部品を有する電動モータが公知である。ここでこの接続部品は、２つのクランプ脚片を有しており、これらのクランプ脚片は、取り付けを容易にするという対称性の理由だけから設けられている。なぜならばこれにより、ただ１つのコンデンサをアースに接続したいからである。
【０００４】
プリント基板を接続するため、又は個々のコンポーネントを接続するためのいずれかに使用されるこのタイプの別の複数の接続部品は、独国特許出願公開第１０２００４０３７９１２号明細書（DE 10 2004 037 912 A1）、独国特許出願公開第１９８５８６２７号明細書（DE 198 58 627 A1）及び独国特許出願公開第１０２００６０２６４７７号明細書（DE 10  2006 026 477 A1）に記載されている。
【０００５】
本発明の課題は、ＳＭＤコンポーネントと、電動モータのケーシング部との接続が特に容易に形成される、冒頭に述べたタイプの電動モータを提供することである。
【０００６】
この課題は、上で示したタイプの電動モータにおいて、本発明により、請求項１に示した特徴的構成によって解決される。本発明により、簡単かつ実践的な解決手段が提供され、これにより、対応する複数のＳＭＤコンポーネントが、電動モータのケーシング部に電気的に接続される。このために、対応する複数のコンタクトフィンガを有するコンタクトばねが使用され、これらのコンタクトフィンガはそれぞれ、ＳＭＤ装置と接触接続する。これらのコンタクトフィンガは、コンタクトばねの主区画から出発しており、これらのコンタクトばねの他方の側からは、少なくとも１つのコンタクト区画が延在しており、このコンタクト区画が、コンタクトばねと、導電性のケーシング部との電気的な接続に使用される。このコンタクトばねは、鋼のような弾性材料からなり、これによって端部が薄くされるリードフレーム材料が回避される。このコンタクトばねは、防食を行うため、すず、ニッケル、銀又は別の複数の材料によってメッキすることができる。
【０００７】
したがって本発明では、複数のＳＭＤコンポーネントをケーシング部に電気的に接続するため、ただ１つの容易に作製可能なコンポーネントを使用する。
【０００８】
ケーシング部は、例えば、電動モータのケーシング外壁部であってよい。上記支持体は、電動モータのブラシホルダであってよい。
【０００９】
本発明にしたがって設けられるただ１つのコンタクトばねは、コンタクトフィンガを介して、ＳＭＤコンポーネントの一方の側に接続される。ここではＳＭＤコンポーネントは、コンタクトフィンガに導電的に固定され、特に緊締及び／又ははんだ付けないし導電性接着によって固定される。
【００１０】
ＳＭＤコンポーネントは絶縁材料に埋め込むことができるか又はＳＭＤコンポーネントにはこの絶縁材料をコーティングすることができ、これによって対応する防湿が行われる。
【００１１】
コンタクトばねが導電性材料から構成され、ＳＭＤコンポーネントが、導電性のケーシング部との接続によって接地されることは明らかである。このケーシング部は、例えば金属製のモータケーシングの部分である。
【００１２】
前述のように、コンタクトばねは、電動モータの支持体に緊締される。これに付加的に、コンタクトばねの中間区画は、コンタクトフィンガの側に、ＳＭＤコンポーネント用に、及び／又は、少なくとも１つのコンタクト区画の側に、ケーシング部用に、少なくとも１つの固定くさびを有していてよい。これにより、支持体におけるコンタクトばねの付加的な固定が行われる。例えば、この固定くさびは、一方に突出する複数の区画、例えばコンタクトばねの主区画の一方に突出する複数の区画であってよく、これらの区画は、このコンタクトばねを支持体に載置した際には、支持体内に入り込み、これによって付加的な固定が行われる。
【００１３】
別の有利な実施形態では、隣接する複数のＳＭＤコンポーネント間に、短絡を回避するための絶縁性の保護壁部が配置されている。
【００１４】
これらのＳＭＤコンポーネントは、支持体の凹部又はチャンバ内に収容される。コンタクトばねのコンタクトフィンガは、個々のチャンバにはまり込んで、そこでこのチャンバ内に配置されているＳＭＤコンポーネントに接触接続する。
【００１５】
本発明ではしたがって有利には鋼からなるコンタクトばねが使用され、このコンタクトばねにより、電動モータの複数のＳＭＤコンポーネント又はすべてのＳＭＤコンポーネントと、モータのケーシング部とが接続される。このためにコンタクトばねは、複数のＳＭＤコンポーネント用又はすべてのＳＭＤコンポーネント用に複数のコンタクトフィンガを有する。このばねの反対側には、導電性のケーシング部との、有利にはモータの金属製のケーシング外壁部との電気的な接触接続を形成するための少なくとも１つのコンタクト区画が設けられている。
【００１６】
本発明はさらに、電動モータの支持体に配置される複数のＳＭＤコンポーネントと、モータの導電性のケーシング部とを接続するための接続部品に関する。この接続部品はコンタクトばねとして構成されており、このコンタクトばねは、主区画と、その一方の側から延在する複数の弾性のコンタクトフィンガと、この主区画の他方の側から延在する弾性の少なくとも１つのコンタクト区画とを有する。
【００１７】
このコンタクトばねは有利にはＵ字形の主区画を有しており、この主区画の一方の脚片からはコンタクトフィンガが、又はこの主区画の他方の脚片から少なくとも１つのコンタクト区画が出ている。
【００１８】
Ｕ字形の主区画により、コンタクトばねは、例えば電動モータの支持体に緊締される。この場合に複数のコンタクトフィンガは、モータの支持体に配置されている複数のＳＭＤコンポーネントと接触接続する。主区画の他方の側から出ている弾性のコンタクト区画は、ケーシング部との電気的な接続を形成するために使用される。
【００１９】
コンタクトばねの中間区画は有利にはその２つの脚片に少なくとも１つの固定くさびを有しており、この固定くさびは、内側に曲げられたばねの区画であってよく、この区画は、例えば、コンタクトばねを支持体に載置した際には、これに入り込み、これによってこのばねが付加的に固定される。
【００２０】
本発明を以下、複数の実施例に基づき、図面に関連して詳しく説明する。
【図面の簡単な説明】
【００２１】
【図１】コンタクトばねの第１実施形態を３次元的に見た図である。
【図２】図１のコンタクトばねを反対側から３次元的に見た図である。
【図３】コンタクトばねの別の実施形態を３次元的に見た図である。
【図４】取り付けられた、コンタクトばねを備えたＳＭＤコンポーネントの概略断面図である。
【００２２】
図１及び図２に示したコンタクトばね１０は、４つのＳＭＤコンポーネントと、電動モータの導電性のケーシング部とを接続するために使用される。このコンタクトばねは、この実際では薄い鋼板である弾性材料から構成されており、Ｕ字形の主区画１を有する。この主区画は、逆Ｕ字形を有する。Ｕ字形の主区画１の一方の脚片から、すなわち図１の前側の脚片からは４つのコンタクトフィンガ２が出ており、これらのコンタクトフィンガは、主区画から前方に向かって曲げられており、このコンタクトばねを取り付けた後は、それぞれ１つのＳＭＤコンポーネントと接触接続する。図１の後ろ側の脚片からは１つの弾性のコンタクト区画３が出ている。このＵ字形の主区画１は、電動モータの支持体６にセットされかつ緊締され、後ろ側の弾性のコンタクト区画３により、導電性のケーシング壁部８（ケーシング部）との接触接続が確実に行われ、前側の湾曲した弾性のコンタクトフィンガ２により、ＳＭＤコンポーネントとの接触接続が形成される。
【００２３】
図示の実施形態では、Ｕ字形の主区画の前側の脚片は、４つのコンタクトフィンガ２に移行するため、両側に拡張している。
【００２４】
図３には、コンタクトばね１０の別の実施形態が示されている。この実施形態では、主区画１は、Ｕ字形の２つの下位区画に分かれており、これらの下位区画も、逆Ｕ字形を有する。このＵ字形の主区画１の後ろ側の２つの脚片も同様にそれぞれ下側に向かって延在する、弾性のコンタクト区画３に移行しており、このコンタクト区画は、この実施形態において、分割されたフィンガ状の２つの区画４を有する。Ｕ字形の主区画１の前側の２つの脚片は拡張されて、前方に向かって曲げられた４つのコンタクトフィンガ２に移行しており、これらのコンタクトフィンガは、４つのＳＭＤコンポーネント５と接触接続を形成する。ここでも主区画１は、その２つの下位区画によって、電動モータの支持体６にセットされて、そこに固定に緊締される。
【００２５】
Ｕ字形の主区画１の後ろ側の２つの脚片には、１つずつの固定くさび７が設けられており、ここでこの固定くさびは、内側に突出する区画であり、この区画は、支持体６にコンタクトばねを載置した際にはこの支持体に入り込んでこのばねを固定する。
【００２６】
図４には、取り付けられたコンタクトばね１０が概略断面図で示されている。（概略的にのみ示されている）ＳＭＤコンポーネント５は、電動モータの支持体６の凹部に配置されている。例えば図３に示した実施形態のコンタクトばね１０は、そのＵ字形の主区画１によって、支持体６の一部分を取り囲んでおり、この部分に緊締されており、ここでは固定くさび７が、対応する壁部内へと延在している。コンタクトばね１０のコンタクトフィンガ２は、取付状態において、対応するＳＭＤコンポーネント５に接触接続しているのに対し、反対側の弾性のコンタクト区画３は、支持体６の反対側の面において下方に延在しており、区画４により、電動モータの金属製のケーシング壁部８に電気的に接触接続している。
【図１】
2017527253.tif 000003
【図２】
2017527253.tif 000004
【図３】
2017527253.tif 000005
【図４】
2017527253.tif 000006
【国際調査報告】
2017527253.tif 000007
2017527253.tif 000008
2017527253.tif 000009
2017527253.tif 000010